(57)【要約】【課題】持ち運びの対象である鉢植に対する損傷を軽減し得る手提げ袋を提供すること。【解決手段】鉢植（１２）を入れるための袋体（１４）を備える手提げ袋（１０）は、袋体（１４）が、これに入れられた鉢植（１２）の一部の外部への突出を許す少なくとも１つの開口（２６，２８）を有する。【選択図】図１
0003105397.tif 000002
【実用新案登録請求の範囲】
【請求項１】
鉢植を入れるための袋体を備える手提げ袋であって、前記袋体は、これに入れられた鉢植の一部の外部への突出を許す少なくとも１つの開口を有する、手提げ袋。
【請求項２】
互いに相対する複数対の開口であって互いに交わる複数の直線上にそれぞれ位置する複数対の開口を有する、請求項１に記載の手提げ袋。
【請求項３】
前記複数対の開口のうちの一対の開口が前記袋体の開口に連なっている、請求項２に記載の手提げ袋。
【考案の詳細な説明】
【技術分野】
【０００１】
本考案は、鉢植を入れてこれを持ち運ぶために用いられる手提げ袋に関する。
【背景技術】
【０００２】
従来、購入した鉢植を持ち帰るための手段として手提げ袋が用いられている。これによれば、手提げ袋の袋体にその口からその内部に鉢植を入れ、前記袋体に取り付けられた提げ手を手に持っての前記鉢植の持ち運びが可能である。しかし、前記袋体に入れられた鉢植は、前記提げ手を持つときの前記袋体の口の窄まりのために該袋体による圧迫を受け、その枝や茎の折損や折れ曲がりのような損傷を受けることがあった。
【考案の開示】
【考案が解決しようとする課題】
【０００３】
本考案の目的は、持ち運びの対象である鉢植に対する損傷を軽減し得る手提げ袋を提供することにある。
【課題を解決するための手段】
【０００４】
本考案は、鉢植を入れるための袋体を備える手提げ袋に係り、前記袋体が、これに入れられた鉢植の一部の外部への突出を許す少なくとも１つの開口を有する。
【０００５】
前記袋体は、互いに相対する複数対の開口であって互いに交わる複数の直線上にそれぞれ位置する複数対の開口を有するものとし、また、さらに前記複数対の開口のうちの一対の開口が前記袋体の開口に連なるものとすることができる。
【考案の効果】
【０００６】
本考案によれば、手提げ袋の袋体に鉢植を入れたとき、前記袋体に設けられた開口を通して、前記鉢植の一部である花や葉を前記袋体の外部に突出させることができる。これにより、前記手提げ袋を手に持つとき、すなわち提げ手を介して前記袋体を手に持つときに前記袋体の口の窄まりに起因して生じる前記袋体による鉢植に対する圧迫を軽減することができる。その結果、前記袋体内の鉢植の枝折れ、茎折れ等の損傷発生を低減することができる。
【０００７】
互いに交わる複数の直線上にそれぞれ位置する複数対の相対する開口を設けるときは、前記袋体内の鉢植は複数の開口に囲まれる。これは前記鉢植に対する圧迫の度合いをより軽減することに役立つ。また、一対の開口が前記袋体の口に連なるものにあっては、前記袋体の口をより大きく開くことができるため、前記袋体内への鉢植の収容の際における該鉢植の損傷防止に役立つ。
【考案を実施するための最良の形態】
【０００８】
図１及び図２に示すように、本考案に係る手提げ袋が全体に符号１０で示されている。
【０００９】
手提げ袋１０は、該手提げ袋による持ち運びの対象である鉢植１２が入れられる袋体１４を備える。袋体１４には、該袋体を手に吊り下げ又は持つための２つのひも状の提げ手１６が取り付けられている。
【００１０】
袋体１４は、紙、プラスチック製フィルム等からなるシートにより形成されている。図示の袋体１４は有底の角筒からなる。より詳細には、袋体１４は比較的細長い矩形状の底面１８と、該底面の互いに相対する２対の縁辺にそれぞれ連なりかつ底面１８から上方へ伸びる２対の互いに相対する側面２０，２２とを有する。鉢植１２すなわち鉢に植えられた植物は、これが袋体１４内に入れられるとき、前記鉢が底面１８上に据えられ、前記植物が側面２０，２２間の空間を上方へ伸びる。
【００１１】
袋体の２対の側面２０，２２はそれぞれ矩形状を呈し、互いに連なっている。袋体１４の口２４はこれらの２対の側面２０，２２により規定され、口２４は底面１８と同一形状の輪郭を有し、底面１８と相対している。
【００１２】
袋体１４には、その一方の対の側面２０と、各側面２０より表面積の小さい他方の対の側面２２とにそれぞれ開放する開口２６，２８が設けられている。
【００１３】
一方の各側面２０に開放する開口２６は、側面２０のほぼ中央位置にあって、底面１８の上方位置から袋体の口２４に向けて上方へ伸びている。また、他方の各側面２２に開放する開口２８は、開口２６と同じ高さ位置から袋体の口２４に向けて上方へ伸びている。なお、開口２６，２８の上方に向けての伸長開始位置は必ずしも同じ高さ位置にしなくてもよい。
【００１４】
一方の側面における開口２６は、矩形と該矩形にその上方で連なる円弧とを組み合わせてなる輪郭を有する。また、他方の側面における開口２８は全体に矩形状の輪郭を有する。
【００１５】
後述する鉢植１２の一部の突出を許す限り、開口２６，２８のそれぞれの輪郭形状について、図示の例に限らず、他の任意の形状、例えば他の四角形、三角形、星形、円形、楕円形等を選択することができ、また開口２６，２８は各側面２６，２８における任意の位置に設けることができる。
【００１６】
袋体１４は、これを提げ手１６で持ち上げるとき、一対の側面２０の上端部が互いに相寄り、また他の一対の側面２２の上端部がそれぞれ折れ曲がる。その結果、両側面２０間の相互間隔がこれらの下端部から上端部に向けて漸減し、袋体の口２４が窄みあるいは閉じる。
【００１７】
このとき、袋体１４内に入れられた鉢植１２は、その一部である花や枝、葉等が開口２６，２８を通して袋体１４の外部に突出し、両側面２０，２２による押し潰しを免れる。このため、両側面２０，２２から鉢植１２が受ける圧迫及びこれに伴う鉢植１２の損傷が軽減される。
【００１８】
ところで、２対の開口２６，２８は、それぞれ、互いに交わる（図示の例では直交する）２つの直線（図示せず）上に互いに相対して配置されている。このため、袋体１４内の鉢植１２はその周囲を４つの開口２６，２８で取り囲まれ、そのより多くの部分がそれぞれの開口からの突出が可能である。したがって、設けられる前記開口数は、図示の例に代えて１であってもよいが、一対以上であることが望ましい。複数対の開口のときは、これらが、直角以外の角度で交わる直線上に位置するものとすることができる。
【００１９】
また、図示の例では、他方の一対の側面の開口２８が袋体の口２４に連なっている。このため、袋体１４に鉢植１２を入れるとき、口２４をより大きく広げた状態で、したがって容易に鉢植１２を袋体１４に入れることができる。ただし、開口２８を袋体の口２４に連なるように設けるか否かは任意である。
【００２０】
さらに、袋体１４は、図示の有底角筒からなるものとすることに代えて、他の形状のもの、例えば有底円筒、有底の三角筒、五角筒等のような他の有底多角筒からなるものとすることができる。
【００２１】
図示の例では、袋体１４の両側面２０の上端部にそれぞれ配置された２つの提げ手２６が示されているが、この例に代えて、一方の側面２０の上端部にのみ取り付けられた単一の提げ手（図示せず）であってもよい。ただし、このときには、両側面２０の上端部における前記単一の提げ手による袋体１４の吊り下げを可能とするため、両側面２０の上端部にこれらを互いに接合する例えばホックのような接合手段（図示せず）が取り付けられ、あるいは他方の側面２０に前記単一の提げ手が通されるスリット（図示せず）が設けられる。
【図面の簡単な説明】
【００２２】
【図１】本考案に係る手提げ袋の斜視図である。
【図２】手提げ袋の側面図である。
【符号の説明】
【００２３】
１０  手提げ袋
１２  鉢植
１４  袋体
１６  提げ手
２４  袋体の口
２６，２８  開口
【図１】
0003105397.tif 000003
【図２】
0003105397.tif 000004